(57)【要約】 【課題】食事時に使う食器に関するもので、特に、幼児や子供が食事をするときに食器を倒して飲食物をこぼしてしまうことが多いことから、食器の側面に吸盤としてテーブルと真空吸着させる吸着ユニットを備え、この吸着ユニットと前記食器との間の有機的な連結のために逆ロック機構と固定装置を設けて互いに結合させることで、吸着ユニットの吸着力により前記食器をテーブルに固着、食器が揺れないようにした吸着ユニットおよびそれを備えたテーブル固定用食器を提供すること。【解決手段】本発明は、吸着ユニットを利用してテーブルの表面に堅固に締結できるので、幼児や子供が食事をするときに食器を倒して飲食物をこぼしてしまうことを根本的に防止でき、食費の節減に有効であり、大人にとっても同様に、走る汽車や車の中で食事をするときに揺れることなく、安定した状態で食事をすることができ、活用範囲が広がることを特徴とする。【選択図】  なし
2010512936.tif 000002
【特許請求の範囲】
【請求項１】
食事のときに使う食器において、
食べ物を盛り付けるための食器１０５と、
机やテーブル１１０に真空圧で密着して取り付けられる吸着ユニット１００と、前記吸着ユニット１００の側面上方に突出して立ち上がる支持柱２２と、
前記食器１０５と支持柱２２を連結する連結部材と、が互いに結合され、前記支持柱２２と食器１０５を連結部材で連結し、前記食器１０５と支持柱２２の位置差を調整して食器１０５が傾斜しないようにすることを特徴とする吸着ユニットおよびそれを備えるテーブル固定用食器。
【請求項２】
前記連結部材としては、公知の様々な連結手段が使用できることを特徴とする請求項１に記載の吸着ユニットおよびそれを備えるテーブル固定用食器。
【請求項３】
食事のときに使う食器において、
食べ物を盛り付けるための食器１０５と、
前記食器１０５の側面上部から突出して、板状で四角形に形成されている逆ロック機構１０と、
ゴム材質で形成され、底面が円形でその中心上部にプリング棒４１を有する吸盤３０と、前記吸盤３０の上部に覆われて吸盤３０を収容し、その中心部の上部にヒンジ４３回動する連動レバー４４を設け、前記プリング棒４１と結合させたハウジング４０と、前記ハウジング４０の側端に一体に形成され垂直に立ち上がる支持柱２２と、前記支持柱２２の側面に逆コ字状に形成されたロックシート４７と、その前面に弾性を有する形態のストッパ板４８が形成された固定装置４９を有する吸着ユニット１００と；が互いに結合され、前記食器１０５の側面から突出した逆ロック機構１０が前記固定装置４９のロックシート４７の間に挿入され、その解体は、前記ストッパ板４８が制御できるように結合され、テーブル１１０や食卓に前記食器１０５を取り付けることができることを特徴とする吸着ユニットおよびそれを備えるテーブル固定用食器。
【請求項４】
前記食器１０５の逆ロック機構１０と吸着ユニット１００の固定装置４９は、食器１０５が円形であれば、食器１０５の側面にあわせてラウンド状に形成することを特徴とする請求項３に記載の吸着ユニットおよびそれを備えるテーブル固定用食器。
【請求項５】
食べ物を盛り付けるための食器の一側面から突出しており、終端部位が両側に拡大された突起１１が形成された逆ロック機構１０と、
ゴム材質の円形円盤３０を下端に内蔵した吸着ユニット１００のハウジング４０の上部に突出して、前面にフック状に曲がって前記逆ロック機構１０が嵌合される嵌合溝２１と、前記嵌合溝２１の側面部に中空の支持柱２２が形成され、前記支持柱２２を構成して上面にギャップ２３を介して設けられるボタン２４を含むフ字状断面のボタンスイッチ２５と、前記ボタンスイッチ２５を形成するロックスタンド２０と、が結合され、前記逆ロック機構１０が前記ロックスタンド２０に嵌合結合されて食器１０５と吸着ユニット１００とが互いに一体化され、前記吸着ユニット１００をテーブル１１０に結合させて使用されることを特徴とする食器を固定するための吸着ユニットの結合構造。
【請求項６】
前記逆ロック機構１０とボタンスイッチ２５には、逆ロック機構１０の前面に突出しているストッパ突起１２と、ボタンスイッチ２５の側面に前記ストッパ突起１２と対応するストッパ溝２６が設けられていることを特徴とする請求項５に記載の食器を固定するための吸着ユニットの結合構造。
【請求項７】
前記ストッパ突起１２と対応するストッパ溝２６は、成形されて、補助板７０の厚さに応じてストッパ溝２６間のギャップにより補正されることを特徴とする請求項６に記載の食器を固定するための吸着ユニットの結合構造。
【請求項８】
前記吸着ユニット１００の底面には、円形の吸着ユニット１００の直径より大きな直径の円形板７１と、前記円形板７１の底面に接着された両面テープ７２からなる補助板７０を結合して、吸着が不可能なテーブル１１０で使用可能にしたことを特徴とする請求項５に記載の食器を固定するための吸着ユニットの結合構造。
【請求項９】
前記ロックスタンド２０支持柱２２の内部空間部には、ボタンスイッチ２５を支持する弾性スプリング８０が内蔵されていることを特徴とする請求項５に記載の食器を固定するための吸着ユニットの結合構造。
【請求項１０】
前記ロックスタンド２０は、吸着ユニット１００のハウジング４０上部に１〜４個形成されていることを特徴とする請求項５に記載の食器を固定するための吸着ユニットの結合構造。
【請求項１１】
前記支持柱２２のボタン２４に別途の磁石９６を設けてキャラクター人形９７を着脱可能にしたことを特徴とする請求項５に記載の食器を固定するための吸着ユニットの結合構造。
【請求項１２】
前記ボタンスイッチ２５の側面にロック部材（ＡＢ）を設けてあることを特徴とする請求項５に記載の食器を固定するための吸着ユニットの結合構造。
【請求項１３】
食べ物を盛るための食器の一側面から突出しており、終端部位が両側に拡大された突起１１１が形成されている逆ロック機構１１０と、
ゴム材質の円形吸盤１３０を下端に内蔵した吸着ユニット２００のハウジング１４０の上方に突出している支持柱１２０と、
前記支持柱１２０の一側に左右両端がフック状に曲がって前記逆ロック機構１１０が嵌合されように上端が閉鎖され、下部が開放された形態の嵌合溝１２１を有する対応固定装置１２２と、が結合され、前記逆ロック機構１１０が前記対応固定装置１２２に嵌合結合されて食器２０５と吸着ユニット２００とが互いに一体化され、前記吸着ユニット２００をテーブルと結合させて使用されることを特徴とする食器を固定するための吸着ユニットの結合構造。
【請求項１４】
前記対応固定装置１２２は、支持柱１２０と一体型に製造されるか、ヒンジ１２５を利用して回転可能に製造されることを特徴とする請求項１３に記載の食器を固定するための吸着ユニットの結合構造。
【請求項１５】
前記対応固定装置１２２の内側の嵌合溝１２１には、下向きの弾性スプリング１３４に固定されたプッシュ板１３５を設けることを特徴とする請求項１３又は請求項１４に記載の食器を固定するための吸着ユニットの結合構造。
【請求項１６】
品物に突出して備えられるもので、両側部は凹状をなし端部は拡張されている結合体、およびこの結合体がスライドして嵌合結合されるように、対応する形状の嵌合溝を設け、その一側に吸着ユニットを備えた本体からなる吸着ユニットの結合装置において、
前記本体は、上部に弾力的に昇降可能に設けられた部材であって、その下端部に一面が下向きに進みながら減少する傾斜面を有するガイド傾斜板を備えるボタン、および前記ボタンの昇降動作に連動して水平移動し、一端がガイド傾斜板の傾斜面に接触し、他端は前記嵌合溝に組み付けられた結合体の上面に突出していて分離を防止する弾性嵌合片を有して構成されることを特徴とする吸着ユニットの結合構造。
【請求項１７】
前記ボタンは、押し操作をする押し部と、前記押し部の下部から延長して形成されるガイド傾斜板と、前記ガイド傾斜板の一側に平行に突出して設けられて、端部に離脱防止突起を有する昇降ガイド板が一体に形成され、前記本体は、上部面に前記ボタンの下端部が挿入されるシート溝と、このシート溝の底面に設けられて前記ボタンが上昇するように弾性支持力を作用する垂直弾性体を有することを特徴とする請求項１６に記載の吸着ユニットの結合構造。
【請求項１８】
前記ボタンは、ガイド傾斜板と昇降ガイド板に各々少なくとも２つ以上提供されることを特徴とする請求項１６又は請求項１７に記載の吸着ユニットの結合構造。
【請求項１９】
前記本体は、嵌合溝が設けられた一側に前記弾性嵌合片が水平に設置される水平取付孔が貫通して形成され、
前記弾性嵌合片は、水平取付孔に一端が挿入された状態で、前記嵌合溝に進む結合体により水平取付孔側に移動し、組み付けが終了すると位置復帰して、結合体の上部面に位置してロック力を生成する三角片状の嵌合部、およびこの嵌合部の後端から延長され、その端部が垂直に曲がり前記ガイド傾斜板の傾斜面にスライド移動可能に接触する連動支持軸を有して構成されることを特徴とする請求項１６に記載の吸着ユニットの結合装置。
【請求項２０】
前記連動支持軸は、１〜４個を備えていることを特徴とする請求項１６又は請求項１９に記載の吸着ユニットの結合装置。
【請求項２１】
前記弾性嵌合片は、間隔を置いて１対の連動支持軸を備え、これら１対の連動支持軸の間には、弾性支持力を作用する水平弾性体が付加されて形成されることを特徴とする請求項１６又は請求項１９に記載の吸着ユニットの結合装置。
【請求項２２】
品物に突出して備えられるもので、両側部は凹状をなし端部は拡張されている結合体、およびこの結合体がスライドして嵌合結合されるように、対応する形状の嵌合溝を設け、その一側に吸着ユニットを備えた本体からなる吸着ユニットの結合装置において、
前記本体は、上部に弾力的に昇降可能に設けられた部材であって、その下端部に一面が下向きに進みながら減少する傾斜面を有するガイド傾斜板を含むボタン、および前記ボタンの昇降動作に連動して水平移動し、一端がガイド傾斜板の傾斜面に接触し、他端は前記嵌合溝に組み付けられた結合体の一側に設けられた位置決定溝に弾力的に挿入されてロック力を生成する嵌合部を形成した弾性嵌合片を有して構成されることを特徴とする吸着ユニットの結合構造。
【請求項２３】
前記ボタンは、押し操作をする押し部と、前記押し部の下部から延長して形成されるガイド傾斜板と、前記ガイド傾斜板の一側に平行に突出して設けられて、端部に離脱防止突起を有する昇降ガイド板が一体に形成され、
前記本体は、上部面に前記ボタンの下端部が挿入されるシート溝と、このシート溝の底面に設けられて、前記ボタンが上昇するように弾性支持力を作用する垂直弾性体を有することを特徴とする請求項２２に記載の吸着ユニットの結合構造。
【請求項２４】
前記ボタンは、ガイド傾斜板と昇降ガイド板を各々少なくとも２つ以上備えることを特徴とする請求項２２又は請求項２３に記載の吸着ユニットの結合構造。
【請求項２５】
前記本体は、嵌合溝が設けられた一側に前記弾性嵌合片が水平に設置される水平取付孔が貫通して形成され、
前記弾性嵌合片は、水平取付孔に一端が挿入された状態で、前記嵌合溝に進む結合体により水平取付孔側に移動し、組み付けが終了すると位置復帰して、結合体の位置決定溝に挿入されてロック力を生成する三角片状の嵌合部、およびこの嵌合部の後端から延長され、その端部が垂直に曲がり前記ガイド傾斜板の傾斜面にスライド移動可能に接触する連動支持軸を有して構成されることを特徴とする請求項２２に記載の吸着ユニットの結合構造。
【請求項２６】
前記連動支持軸は、１〜４個を備えていることを特徴とする請求項２２又は請求項２５に記載の吸着ユニットの結合構造。
【請求項２７】
前記弾性嵌合片は、間隔を置いて１対の連動支持軸を備え、これら１対の連動支持軸の間には、弾性支持力を作用する水平弾性体が付加されて形成されていることを特徴とする請求項２２又は請求項２５に記載の吸着ユニットの結合構造。
【発明の詳細な説明】
【技術分野】
【０００１】
本発明は、食事時に使う食器に関するもので、特に、幼児や子供が食事をするときに食器を倒して飲食物をこぼしてしまうことが多いことから、食器の側面に吸盤としてテーブルと真空吸着させる吸着ユニットを設け、この吸着ユニットと前記食器との間の有機的な連結のために逆ロック機構と固定装置を設けて互いに結合させることで、吸着ユニットの吸着力により前記食器をテーブルに固着、食器が揺れないようにした吸着ユニットの結合構造およびそれを備えたテーブル固定用食器に関する。
【背景技術】
【０００２】
一般的に、食器とは、コップ、碗、汁碗など種類は様々で、一般家庭で使われる容器や器具の総称である。
【０００３】
ところが、食器を使用する際に、幼児や子供はその使用期間が短く、食事をするときに食器やスプーンおよびお箸を使うことに慣れていないため、食器を倒したり、飲食物をこぼしてしまうことが多く発生する。これに対して、運動神経の未発達および食器やテーブルのサイズが子供用ではないので仕方ないと思い傍観してきた。即ち、上記のような事態を積極的に解決するための何の提案もなされていなかった。
【０００４】
また、大人にとっても同様に、食卓やテーブルに食器を固着して揺れないようにした状態で食事をすることが有利な場合がある。即ち、傾斜のある場所で食事をするときや、走る汽車や車の中で食事をするときなど、振動により食器が動くおそれがあり、その場合、手で食器を握った状態で食事をするようになるので不便である。しかし、かかる問題点を積極的に解決するための試みは未だに成されていない。
【発明の概要】
【発明が解決しようとする課題】
【０００５】
そこで、本発明は上記従来の問題点に鑑みてなされたものであって、本発明の目的は、食事のときに使われる食器に関するもので、特に、幼児や子供が食事するときに食器を倒して飲食物をこぼしてしまうことが多いことから、食器の側面に吸盤としてテーブルと真空吸着させる吸着ユニットを設け、この吸着ユニットと前記食器との間の有機的な連結のために逆ロック機構と固定装置を設けて互いに結合させて、吸着ユニットの吸着力により前記食器をテーブルに固着、食器が揺れないようにした吸着ユニットの結合構造およびそれを備えたテーブル固定用食器を提供することである。
【０００６】
本発明の他の目的は、使用者の加圧操作力に弾力的に連動して水平に出没するストッパを形成することで、反復して使用しても品物が破損および変形することを防止し、動作の信頼性を確保することができるようにした吸着ユニットを提供することである。
【課題を解決するための手段】
【０００７】
上記目的を達成するためになされた本発明によるテーブル固定用食器において、食べ物を盛り付けるための食器１０５と、机やテーブル１１０に真空圧で密着して取り付けられる吸着ユニット１００と、前記吸着ユニット１００の側面上方に突出して立ち上がる支持柱２２と、前記食器１０５と支持柱２２を連結する連結部材と、が互いに結合され、前記支持柱２２と食器１０５を連結部材で連結し、前記食器１０５と支持柱２２の位置差を調整して食器１０５が傾斜しないようにすることを特徴とする。
【０００８】
本発明の他の実施形態による食器において、食べ物を盛り付けるための食器１０５と、前記食器１０５の側面上部から突出して、板状で四角形に形成されている逆ロック機構１０と、ゴム材質で形成され、底面が円形でその中心上部にプリング棒４１を有する吸盤３０と、前記吸盤３０の上部に覆われて吸盤３０を収容し、その中心部の上部にヒンジ４３回動する連動レバー４４を設け、前記プリング棒４１と結合させたハウジング４０と、前記ハウジング４０の側端に一体に形成され垂直に立ち上がる支持柱２２と、前記支持柱２２の側面に逆コ字状に形成されたロックシート４７と、その前面に弾性を有する形態のストッパ板４８が形成された固定装置４９を有する吸着ユニット１００と；が互いに結合され、前記食器１０５の側面から突出した逆ロック機構１０が前記固定装置４９のロックシート４７の間に挿入され、その解体は、前記ストッパ板４８が制御できるように結合され、テーブル１１０や食卓に前記食器１０５を取り付けることができることを特徴とする。
【０００９】
本発明の一実施形態による吸着ユニットの結合構造は、食べ物を盛り付けるための食器の一側面から突出しており、終端部位が両側に拡大された突起１１が形成された逆ロック機構１０と、ゴム材質の円形円盤３０を下端に内蔵した吸着ユニット１００のハウジング４０の上部に突出して、前面にフック状に曲がって前記逆ロック機構１０が嵌合される嵌合溝２１と、前記嵌合溝２１の側面部に中空の支持柱２２が形成され、前記支持柱２２を構成して上面にギャップ２３を介して設けられるボタン２４を含むフ字状断面のボタンスイッチ２５と、前記ボタンスイッチ２５を形成するロックスタンド２０と、が結合され、前記逆ロック機構１０が前記ロックスタンド２０に嵌合結合されて食器１０５と吸着ユニット１００とが互いに一体化され、前記吸着ユニット１００をテーブル１１０に結合させて使用されることを特徴とする。
【００１０】
本発明の他の一実施形態による吸着ユニットの結合構造は、食べ物を盛るための食器の一側面から突出しており、終端部位が両側に拡大された突起１１１が形成されている逆ロック機構１１０と、ゴム材質の円形吸盤１３０を下端に内蔵した吸着ユニット２００のハウジング１４０の上方に突出している支持柱１２０と、前記支持柱１２０の一側に左右両端がフック状に曲がって前記逆ロック機構１１０が嵌合されように上端が閉鎖され、下部が開放された形態の嵌合溝１２１を有する対応固定装置１２２と、が結合され、前記逆ロック機構１１０が前記対応固定装置１２２に嵌合結合されて食器２０５と吸着ユニット２００とが互いに一体化され、前記吸着ユニット２００をテーブルと結合させて使用されることを特徴とする。
【００１１】
本発明のまた他の実施形態による吸着ユニットは、品物に突出して備えられるもので、両側部は凹状をなし端部は拡張されている結合体、およびこの結合体がスライドして嵌合結合されるように、対応する形状の嵌合溝を設け、その一側に吸着ユニットを備えた本体からなる吸着ユニットの結合装置において、前記本体は、上部に弾力的に昇降可能に設けられた部材であって、その下端部に一面が下向きに進みながら減少する傾斜面を有するガイド傾斜板を備えるボタン、および前記ボタンの昇降動作に連動して水平移動し、一端がガイド傾斜板の傾斜面に接触し、他端は前記嵌合溝上に組み付けられた結合体の上面に突出していて分離を防止する弾性嵌合片とを有して構成されることを特徴とする。
【００１２】
本発明のまた他の実施形態による吸着ユニットの結合構造は、品物に突出して備えられるもので、両側部は凹状をなし端部は拡張されている結合体、およびこの結合体がスライドして嵌合結合されるように、対応する形状の嵌合溝を設け、その一側に吸着ユニットを備えた本体からなる吸着ユニットの結合装置において、前記本体は、上部に弾力的に昇降可能に設けられた部材であって、その下端部に一面が下向きに進みながら減少する傾斜面を有するガイド傾斜板を含むボタン、および前記ボタンの昇降動作に連動して水平移動し、一端がガイド傾斜板の傾斜面に接触し、他端は前記嵌合溝上に組み付けられた結合体の一側に設けられた位置決定溝に弾力的に挿入されてロック力を生成する嵌合部を形成した弾性嵌合片を有して構成されることを特徴とする。
【００１３】
本発明の特徴および利点は、添付図面と併せて以下の詳細な説明を参照することにより更に良く理解されるようになる。なお、本明細書および請求の範囲で用いられた用語や単語は、通常的で辞書的な意味で解釈されてはならず、発明者が本発明を最善の方法で説明するために用語の概念を適切に定義できるという原則に基づいて本発明の技術的思想に符合する意味および概念として解釈されなければならない。
【発明の効果】
【００１４】
本発明は、吸着ユニットを利用してテーブルの表面に堅固に締結できるので、幼児や子供が食事をするときに食器を倒して飲食物をこぼしてしまうことを根本的に遮断し、食費の節減に有効である。
【００１５】
また、大人にとっても同様に、走る汽車や車の中で食事をするとき、揺れることなく、安定した状態で食事をすることができ、活用範囲が広がる。
【００１６】
また、本発明は、ストッパ突起を形成し、これと対応するストッパ溝を成形して、前記ストッパ突起が所定間隔を置いて配列されたストッパ溝を移動しながら嵌合するようにしており、その間隔分だけ補正できる補助板を使用することができるので、吸着ユニットが使用できない木材質のテーブルにも適用することができる。
【００１７】
また、本発明は、使用者が結合体を本体の嵌合溝にスライド嵌合させる簡単な操作だけで堅固な結合状態を安定的に維持することができ、特に、ボタンとストッパに各々の弾性体を付加した構造により、反復して使用することによるボタンの破損を防止し、結果的に、これを適用した様々な製品に対する使用便宜性が向上されるという効果がある。
【図面の簡単な説明】
【００１８】
【図１】本発明の第１実施形態によるテーブル固定用食器の分解図。
【図２】図１の変形例を示す図。
【図３】本発明の第１実施形態による食器の使用例を示す図。
【図４】本発明の第１実施形態による食器の着脱過程を示す断面図。
【図５】本発明の第１実施形態による吸着ユニットの底面を示す図。
【図６】本発明の第２実施形態による吸着ユニットのハウジングを示す図。
【図７】本発明の第２実施形態による吸着ユニットのハウジングの底面図。
【図８】本発明の第２実施形態による吸着ユニットのハウジングの平面図。
【図９】本発明の第２実施形態による吸着ユニットの側面断面図。
【図１０】本発明の第２実施形態による食器の一実施形態を示す図。
【図１１】本発明の第２実施形態による食器の平面図。
【図１２】本発明の第２実施形態による食器の側断面図。
【図１３】本発明の第２実施形態による食器と吸着ユニットが結合した状態を示す平面図。
【図１４】本発明の第２実施形態による食器と吸着ユニットが結合した状態を示す断面図。
【図１５】本発明の第２実施形態による食器と吸着ユニットが結合した状態を示す平面図。
【図１６】本発明の他の実施形態の食器と吸着ユニットが結合した状態を示す断面図。
【図１７】本発明の食器と吸着ユニットを示す平面図。
【図１８】本発明の食器と吸着ユニットが結合した状態を示す断面図。
【図１９】本発明の他の実施形態の食器を示す図。
【図２０】本発明の他の実施形態の食器を示す図。
【図２１】本発明の他の実施形態の食器を示す図。
【図２２】本発明の食器と吸着ユニットが結合した状態を示す平面図。
【図２３】本発明の食器と吸着ユニットが結合した状態を示す断面図。
【図２４】本発明の２つの食器に吸着ユニットを結合した状態を示す図。
【図２５】本発明の４つの食器に吸着ユニットを結合した状態を示す図。
【図２６】本発明の他の実施形態を示す断面図。
【図２７】本発明の他の実施形態による食器と吸着ユニットの結合構造を示す断面図。
【図２８】本発明の対応固定装置が回転する構造を示す図。
【図２９】本発明の対応固定装置にプッシュ板を形成した状態を示す断面図。
【図３０】本発明の第３実施形態による吸着ユニットの結合構造を示す斜視図。
【図３１】図３０の吸着ユニットの結合装置を示す分解斜視図。
【図３２】図３０の内部構成を示す断面図。
【図３３】図３０の結合体の結合構造を示す断面図。
【図３４】図３０の結合体の結合構造を示す断面図。
【図３５】図３０のボタンと弾性嵌合片の動作関係を示す斜視図。
【図３６】図３０のボタンと弾性嵌合片の動作関係を示す斜視図。
【図３７】図３０のボタンと弾性嵌合片の動作関係を示す斜視図。
【図３８】図３０の変形実施形態による吸着ユニットの結合装置を示す斜視図。
【図３９】図３８の吸着ユニットの結合装置の構成を示す断面図。
【図４０】突起の他の形態を示す図。
【図４１】突起の他の形態を示す図。
【発明を実施するための形態】
【００１９】
上記のような本発明の目的、特徴および利点は、以下の詳細な説明からいっそう明らかになる。
【００２０】
本発明は、食事のときに使う食器に関し、従来のものと類似している。しかし、食器をテーブルに取り付けて使用できるように別途の吸着ユニットを備えること、いかなる状況でも食器を倒して飲食物をこぼすことがないようにしたことを特徴とする。以下、本発明の好適な実施形態を添付図に参照して説明する。
【００２１】
まず、図面において、同じ構成要素および部材については、同一の参照符号を付けている。本発明を説明するにあたって、関連の公知機能および構成に関する詳細な説明は、本発明の要旨をあいまいなものにしないために省略する。
【００２２】
図１は、本発明の第１実施形態によるテーブル固定用食器の分解図である。図２は、図１の変形例を示す図である。図３は、本発明の第１実施形態による食器の使用例を示す図である。図４は、本発明の第１実施形態による食器の着脱過程を示す断面図である。図５は、本発明の第１実施形態による吸着ユニットの底面を示す図である。
【００２３】
本発明は、図１〜図５に示すように、飲食物を盛り付けるための食器１０５と、机やテーブル１１０に真空圧で密着して取り付けられる吸着ユニット１００と、前記吸着ユニット１００の側面上方に突出して立ち上がる支持柱２２で構成される。また、前記食器１０５と支持柱２２を連結する連結部を備える。これにより、前記支持柱２２と食器１０５を連結部で連結することで、前記食器１０５と支持柱２２との位置差を調整して食器１０５が傾斜しないようにする。
【００２４】
即ち、本発明は、大きく分けて、一般の食器１０５と、吸着ユニット１００で構成される。ここで、吸着ユニット１００は、公知のものが使用でき、例えば、ガラス板の表面に吸着を利用して取り付けて、そのガラス板を移動する際に使用する吸着ユニットも使用可能である。また、該吸着ユニットの使用だけでなく、吸着ユニットに適用された技術的思想を本発明にも適用することができる。さらに詳細には、前記吸着ユニット１００を利用してテーブル１００の上面に堅固に取り付ける。なお、この吸着ユニット１００の側部には支持柱２２が設けられており、前記食器１０５とこの支持柱２２を連結する連結部を有する。ここで、前記連結部としては、公知の着脱可能な連結構造であればいずれも使用することができる。よって、前記食器１０５と吸着ユニット１００の支持柱２２は、必要に応じて、いつでも着脱可能である。この結果、テーブル１１に密着した吸着ユニットと結合した食器１０５は揺れることなく、こぼれないように位置を保つことができる。
【００２５】
以下、図１〜図５に示される本発明の実施形態をより詳細に説明する。
【００２６】
本発明は、食事のときに使う食器において、飲食物を盛り付けるための食器１０５と、前記食器１０５の側面上部から突出し、板状で四角形の逆ロック機構１０を備える。また、ゴム材質で形成され、底面が円形でその中心上部にプリング棒４１が形成された吸盤３０と、前記吸盤３０の上部に覆われて吸盤３０を収容し、その中心部の上部にヒンジ４３回動する連動レバー４４が設けられて、前記プリング棒４１と結合されるハウジング４０と、前記ハウジング４０の側端に一体に結合されて上方に立ち上がる支持柱２２と、前記支持柱２２の側面に逆コ字状につくられたロックシート４７と、その前面に弾性を有する形態のストッパ板４８が設けられた固定装置４９を有する吸着ユニット１００で構成されている。前記食器１０５の側面から突出した逆ロック機構１０が前記固定装置４９のロックシート４７の間に嵌合され、解体のときには前記ストッパ板４８が制御できるように結合され、テーブル１１０や食卓に前記食器１０５を取り付けることができる。
【００２７】
上記のような本発明は、図１に示すように、円形の様々な食器１０５に適用して使用可能である。さらに、四角形の食器１０５とその他の形の食器１０５も使用できる。ここで、食器１０５の側面には、前記逆ロック機構１０が一体型でも分離型でも結合でき、その形は四角形である。即ち、板状のプレートが垂直に結合されているが、四角形の形を保持している。そして、前記食器１０５の側部には、吸着ユニット１００が備えられる。
【００２８】
前記吸着ユニット１００は、ゴム材質で形成された吸盤３０と、それを上部で収容するハウジング４０で構成される。前記ハウジング４０の上部にはヒンジ４３を介して左右に連動する連動レバー４４が結合されている。勿論、前記連動レバー４４には、前記吸盤３０の中心部で一体に結合されて立ち上がるプリング棒４１が設けられていて、連動レバー４４を一側に押し倒すと、前記連動レバー４４が前記プリング棒４１を引っ張り、吸盤３０の中心部だけを上昇させる。これにより、前記吸盤３０は、その外周面をテーブル１１０に堅固に密着したままその中心部が引っ張られて上昇した状態であるので、その内部が真空状態になる。即ち、真空圧が形成されるようになる。この作用により、本発明の吸着ユニット１００がテーブルに堅固に密着固定される。
【００２９】
ところが、本発明の吸着ユニット１００は、図示するように、前記ハウジング４０の側部に支持柱２２を備えている。この支持柱２２は、上方に垂直に立ち上がっており、この支持柱２２の側面には固定装置４９が形成されている。この固定装置４９のロックシート４７は逆コ字状に形成され、その内部に空間部と隙間を有する。これにより、隙間に沿って逆ロック機構１０が嵌入されるようにし、その空間部に収容された状態を維持する。また、その収容状態が解体されないように、前記逆ロック機構１０が嵌合された前記ロックシート４７の入口部にはストッパ板４８が形成されている。このストッパ板４８は、その端が上昇して前記逆ロック機構１０が押されて離れないようにする機能を有し、使用者が加圧したときには、その内部に押入されて前記逆ロック機構１０を取り外すことができる。
【００３０】
従って、本発明は、前記支持柱２２に設けられた固定装置４９に、食器１０５に設けられた逆ロック機構１０を押して締結する方式で互いに一体化される。このように一体化された状態で前記吸着ユニット１００をテーブル１１０に密着して結合すると、前記食器１０５がテーブル１１０に結合された効果が得られ、食器が揺れなくなり、飲食物がこぼれるのを防止することができる。
【００３１】
また、本発明による前記食器１０５の逆ロック機構１０と吸着ユニット１００の固定装置４９は、その食器１０５の形によってその形態を変更できる。即ち、食器１０５が円形であれば、食器１０５の側面にあわせてラウンド状に形成することが好ましい。
【００３２】
即ち、図２に示すように、前記逆ロック機構１０も食器１０５の丸い側面と同じくラウンド状に形成し、吸着ユニット１００の固定装置４９であるロックシート４７とストッパ板４８もややラウンド状に形成する。このように、断面形態を同一に形成することで、前記逆ロック機構１０が前記ロックシート４７によりガイドされて締結されることができる。
【００３３】
以下、本発明の第２実施形態による吸着ユニットの結合構造について、図６〜図２９を参照して説明する。
【００３４】
本実施形態によれば、図示するように、飲食物を盛り付けるための食器の一側面から突出しており、端部が両側に拡大された突起１１を有する逆ロック機構１０と、ゴム材質の円形吸盤３０を下端に内蔵した吸着ユニット１００のハウジング４０の上部に突出し、前面にフック状に曲がり前記逆ロック機構１０が嵌合される嵌合溝２１を備える。また、前記嵌合溝２１の側部に中空の支持柱２２が形成され、前記支持柱２２をなして上面にギャップ２３を介して形成されるボタン２４を有するフ字状断面のボタンスイッチ２５と、前記ボタンスイッチ２５を形成するロックスタンド２０を備える。これにより、前記逆ロック機構１０が前記ロックスタンド２０に嵌合結合されて食器１０５と吸着ユニット１００とが互いに一体化され、前記吸着ユニット１００をテーブル１１０に結合して使用する食器を固定するための吸着ユニットの結合構造を有する。
【００３５】
即ち、本発明において、様々な形の碗、容器など飲べ物や飲み物を入れるための食器１００の側面に、図１０に示すような逆ロック機構１０が一体に成形されている。この逆ロック機構１０は、その前面部にストッパ突起１２が成形されており、このストッパ突起１２は、半円状に突出され、これと対応する支持柱２２のボタンスイッチ２５の側面に設けられたストッパ溝２６と結合して食器１０５の堅固な着脱を助ける。そして、前記食器１０５の逆ロック機構１０と対応する構成は、吸着ユニット１００のロックスタンド２０である。即ち、ロックスタンド２０は、吸盤３０を用いて平らなテーブル１１０に空気吸着方式で締結される吸着ユニット１００のハウジング４０上部に一体に成形されるもので、射出成形で形成されることが好ましい。また、前記ロックスタンド２０は、大きく分けて、支持柱２２と嵌合溝２１と、前記支持柱２２を形成するボタンスイッチ２５で構成されている。即ち、ロックスタンド２０は、ハウジング４０の上部に突出した形を有し、前記食器１０５の逆ロック機構１０と対応する嵌合溝２１がハウジング４０の最外郭部分に形成される。勿論、この嵌合溝２１の上部および前面が開放されており、食器１０５の逆ロック機構１０を上部から下部に嵌め込むと、スライド方式で前記嵌合溝２１に挿入され、その挿入により食器１０５と吸着ユニット１０とが結合される。
【００３６】
要するに、前記逆ロック機構１０は、その端が両側に広がる形であり、この逆ロック機構１０が嵌合される嵌合溝２１は、その端が内側に曲がる形であるので、前記逆ロック機構１０と嵌合溝２１が引っかかって抜け難くなる。また、このように引っかかった状態では、前記逆ロック機構１０の前面から突出したストッパ突起１２が、前記支持柱２２を成すボタンスイッチ２５の側面のストッパ溝２６に嵌合されて抜け難い締結構造になる。
【００３７】
結果的に、上記実施形態のように、前記ストッパ突起１２とボタンスイッチ２５に、逆ロック機構１０の前面に突出したストッパ突起１２とボタンスイッチ２５の側面に前記ストッパ突起１２に対応するストッパ溝２６を形成することが好ましい。
【００３８】
図６に示すように、前記支持柱２２は、その一部がボタンスイッチ２５で形成されている。即ち、ボタンスイッチ２５の断面はフ字状であり、その上端のボタン２４は、支持柱２２の上面を形成する。これにより、使用者が前記ボタン２４を加圧すると、前記ボタン２４部分が押されて前記フ字状のボタンスイッチ２５が加圧されるとともにそれを形成するギャップ２３を狭めて斜めになる。勿論、この作用により、前記ボタンスイッチ２５に形成されたストッパ溝２６は、前記食器１０５の逆ロック機構１０に設けられたストッパ突起１２から解除されて、使用者が食器１０５を吸着ユニット１００と分離しやすい状態になる。
【００３９】
結局、本発明は、食器１０５に逆ロック機構１０を形成し、吸着ユニット１００に該逆ロック機構１０を着脱可能に設けたロックスタント２０を備える結合構造を有している。これにより、それを使用する乳児や子供は、前記吸着ユニット１００をテーブル１１０に吸着させて取り付け、その吸着ユニット１００に食器１０５を結合することで、前記食器１０５がテーブル１１０から分離されないようにすることができる。このようにして、食器１０５をテーブル１１０に結合させた状態となり、子供が食事中に遊んだりしても食器１０５の飲食物をこぼしてしまうことを防止する効果が得られる。
【００４０】
一方、本発明において、前記吸着ユニット１００の底面には、円形の吸着ユニット１００の直径より大きな直径の円形板７１と、前記円形板７１の底面に接着された両面テープ７２からなる補助板７０を結合して、吸着が不可能なテーブル１１０で使用することができる。即ち、テーブル１１０は、ガラス、合成樹脂、木材、金属など様々な材料で製造できる。また、その表面に多様なコーティング処理を施したり、自然な質感を生かしたものもある。さらに、その表面を加工して模様を入れるために、ペイント方式や陰刻・陽刻を施したものもある。このため、本発明の吸着ユニット１１０を適用することができない場合もある。即ち、吸着ユニット１１０は、平らな表面に全体的に密着させてその内部の空気を引く方式で結合するものであって、表面がコーティングされていない木材のテーブル１０５や表面に陰刻・陽刻を施して模様をつくったテーブル、表面が平らではないテーブル１１０などの場合、吸着ユニット１００を利用してテーブル１１０に結合させることが不可能である。そのような場合には、本発明により図１４〜図１６に示すように、補助板７０を使用する。この補助板７０は、まず、テーブル１１０の底面に両面テープ７２を利用して接着し、その補助板７０の上部に吸着ユニット１００を結合させる方法により、テーブル１１０の材質や平滑度、テーブルの表面状態と無関係に吸着ユニット１００を取り付けることができる。勿論、前記補助板７０は、その表面を吸着ユニット１００を吸着しやすい取り付け可能な材料で製造する必要がある。このように本発明では、上記のような補助板７０を使用するために、前記ボタンスイッチ２５にストッパ溝２６を設けてある。要するに、前記補助板７０がテーブル１１０に接着され、該補助板７０の上部に吸着ユニット１００を結合する方法の場合、前記補助板７０の厚さだけ前記吸着ユニット１００の高さが高くなる。このため、前記食器１０５に設けられた逆ロック機構１０と締結の高さが合わなくなる。このような不具合を解決するために、本発明では、前記ボタンスイッチ２５にストッパ溝２６を設けている。このため、前記補助板７０使用の有無に応じて、ストッパ溝２６の段数を図１４〜１６および図２０のように変更できる。即ち、図２０、２３に示すように、補助板７０なしで吸着ユニット１００を適用できるテーブル１１０の場合は、前記ストッパ突起１２が上端に設けられたストッパ溝２６に結合され、図１４〜１６および図１８に示すように、補助板７０を必要とする木材質などのテーブル１１０の場合は、前記ストッパ突起１２が下端に設けられたストッパ溝２６に結合される。
【００４１】
また、本発明は、前記ロックスタンド２０の支持柱２２の内部空間部に、ボタンスイッチ２５を支持する弾性スプリング８０を内蔵することが好適である。本発明のボタンスイッチ２５は、フ字状の断面を有し、周囲のギャップ２３により形成されたもので、その端が支持柱２２と一体化されて自体内に弾性を有するため、加圧力がなくなれば復元する特徴がある。さらに、本発明では、前記ボタンスイッチ２５の下端に弾性スプリング８０を内蔵することにより、上記作動をより確実に保障できる。勿論、前記弾性スプリングとしては、断面が円形のスプリングや板状のスプリング、およびエアクッションを利用したスプリングなど公知の弾性スプリングが使用できる。
【００４２】
また、本発明の前記ロックスタンド２０は、吸着ユニット１００のハウジング４０の上部に１〜４個を形成することができる。図２４、図２５に示すように、吸着ユニット１００の上部に多数のロックスタンド２０が形成され、複数の食器１０５を結合することができる。即ち、テーブル１１０の上で食事をするとき、碗、汁碗、おかず容器など、複数の食器１０５を１つの吸着ユニット１００に結合して使用することができる。
【００４３】
また、本発明は、図２３に示すように、前記支持柱２２のボタン２４に別途の磁石９６を設けてキャラクター人形９７を着脱することも可能である。これは、本発明の食器を子供が利用することが多いので、子供が食事に集中できるようにし、食事時間が楽しい時間として記憶されるようにするためである。勿論、前記人形９７の下端に別途の磁石９８や金属板を内蔵して、前記磁石９６の磁力が作用するようにする。
【００４４】
さらに、本発明は、食器が吸着ユニットのロックスタンドに嵌合されて抜けないようにする補助的なロック機能を有する。これは図２６に示す実施例に示されている。即ち、前記ボタンスイッチ２５の側面に、ストッパ溝２６の上部にロック部材（ＡＢ）を設けてある。即ち、ロック部材（ＡＢ）は矢じり状に形成されており、上部から下部に食器１０５の逆ロック機構１０が嵌合するときはストッパが機能しないが、反対に、前記逆ロック機構１０が嵌合溝２１から離れようとするときは、前記ロック部材（ＡＢ）に引っかかって容易に抜けないようにする。勿論、前記ボタンスイッチ２５を加圧することにより前記ロック部材（ＡＢ）を後退させた状態では、前記食器１０５を簡単に取り外すことができる。
【００４５】
次に、図２７〜図２９は、本発明による他の実施形態の吸着ユニットの結合構造を示す。この実施形態の特徴は、前記食器の逆ロック機構を上部から下部に嵌入するのではなく、下部から上部に嵌入されるようにしたことである。
【００４６】
即ち、本発明は、飲食物を盛り付けるための食器２０５の一側面から突出し、端部が両側に広がっている突起１１１を有する逆ロック機構１１０と、ゴム材質の円形吸盤１３０を下端に内蔵した吸着ユニット２００のハウジング１４０の上部に突出している支持柱１２０を備える。また、前記支持柱１２０の一側に左右両端がフック状に曲がり、前記逆ロック機構１１０が嵌合されるように上端が閉鎖され、下部が開放された形態の嵌合溝１２１を有する対応固定装置１２２を備える。前記逆ロック機構１１０が前記対応固定装置１２２に嵌合されて結合されて、食器２０５と吸着ユニット２００とが互いに一体化され、前記吸着ユニット２００をテーブルに結合させて使用することができる。
【００４７】
即ち、前記食器２０５の一側に逆ロック機構１１０を設けた形態に製造し、これと対応する吸着ユニット２００を製造するが、前記逆ロック機構１１０が嵌合されるように対応固定装置１２２を構成する。ここで、前記対応固定装置１２２は、図２０に示すように、下部が開放された形態の嵌合溝１２１を有する。この嵌合溝１２１は、左右両端がフック状に曲がっている状態であるので、両側に突起１１１を有する逆ロック機構１１０が一旦嵌合溝１２１の内部に嵌入されると容易に抜けないようにする。上述した実施形態とは異なり、この実施形態の重要な特徴は、食器２０５を下方向に吸着ユニット２００と締結させるのではなく、食器２０５をテーブル上に置いた状態で前記吸着ユニット２００を下方向に前記食器２０５と締結させることである。より詳細には、前記食器２０５をテーブル上に置いた状態で前記吸着ユニット２００を下方向に吸着ユニット２００の一側支持柱１２０に設けられた対応固定装置１２２の嵌合溝１２１が食器２０５の逆ロック機構１１０に嵌合するようにする。これは、前記対応固定装置１２２の下端が開放状態であるため可能であり、例えば、食器２０５の内部に飲食物が盛られていても、飲食物をこぼすことなく締結できる有用な方法である。
【００４８】
ここで、前記対応固定装置１２２は、一体型や着脱型に製造することができ、回転する形態に製造することもできる。即ち、前記対応固定装置１２２は、支持柱１２０と一体型に製造することもでき、ヒンジ１２５を利用して回転可能に製造することもできる。支持柱１２０と一体型に射出成形を行う場合、その製造が容易であるという利点があり、別途のブロック形態の対応固定装置１２２を製造してヒンジ１２５を介して支持柱１２０と一体化させる場合は、前記ヒンジ１２５を中心に回転可能になり、上部が開放された対応固定装置１２２をつくることもでき、下部が開放された対応固定装置１２２をつくることもできる。このように、状況に応じて適宜調節可能である。テーブルに置かれた食器２０５に吸着ユニット２００を下方向に締結する場合は、前記対応固定装置１２２が下端に開放された状態で締結し、テーブルに吸着された吸着ユニット２００に食器２０５を下方向に締結する場合は、前記支持柱１２０の対応固定装置１２２を回転させて上部が開放された状態で締結する。
【００４９】
しかし、上記のような構成だけでは、前記対応固定装置１２２に逆ロック機構１１０が嵌合されても食器２０５が上下に動く可能性がある。即ち、前記対応固定装置１２２の内部に逆ロック機構１１０が上下に動く空間が存在し、テーブルとの安定的な結合に問題がある。そこで、このような問題を解決するための一実施形態を提示する。即ち、図２９に示すように、前記対応固定装置１２２の内側の嵌合溝１２１に、下向きの弾性スプリング１３４に固定されたプッシュ板１３５を設ける。上端が閉鎖された嵌合溝１２１から下部に弾性力により下向するプッシュ板１３５が逆ロック機構１１０を弱く押す結果となり、食器２０５を安定的に固定することができる。
【００５０】
これは、一体型の対応固定装置１２２にも適用可能であり、ヒンジ１２５が設けられた回転型の対応固定装置１２２にも適用可能である。対応固定装置１２２に逆ロック機構１１０が嵌合された状態で、逆ロック機構１１０が上部に上がるのを遮断するために、対応固定装置１２２の嵌合溝１２１の上端から下方に弱く押すプッシュ板１３５は、前記固定装置１２２を加圧してより安定的な固定を可能とする。
【００５１】
以下、本発明の第３実施形態による吸着ユニットの結合構造について、図３３〜図３９を参照して説明する。
【００５２】
図３０は、本発明の第３実施形態による吸着ユニットを示す斜視図であり、図３１は、本発明の吸着ユニットの結合装置を示す分解斜視図であり、図３２は、図３０の内部構成を示す断面図である。
【００５３】
図３３および図３４は、結合体の結合構造を示す断面図であり、図３５〜図３７は、本発明の吸着ユニットの結合装置におけるボタンと弾性嵌合片の動作関係を示す斜視図である。
【００５４】
図示するように、本発明の吸着ユニットの結合装置は、吸着ユニット７を有する本体３と、この本体３に選択的に結合構成される食器類などの様々な品物ｔに一体に形成されるか、又は付着されてなる結合体５で構成されている。ここで、前記本体３には、垂直方向に前記結合体５がスライド嵌合するように嵌合溝３´が形成され、このときの前記嵌合溝３´は、前記結合体５と嵌合結合するように対応する形態を有する。本発明において、前記結合体５は、両側部が凹状で端部が拡張された形態で示されているが、この他に、前記結合体５が嵌合溝３´にスライドして嵌合組付けられる際に、組付け方向以外の方向に対して位置拘束が可能であれば、様々な形態に変形することができる。
【００５５】
本体３は、中空の柱状に形成され、その一側には公知の吸着ユニット７が備えられる。このような本体３は、大きく分けて、本体（未符号）の上部側に設けられるボタン１０ｂと、本体の嵌合溝３´側に突出して形成される弾性嵌合片３０ｔで構成されている。
【００５６】
前記ボタン１０ｂは、前記本体３の上部側にあるシート溝３ａに組み付けられた状態で昇降可能に設けられる部材であって、使用者の押し操作力により選択的に下降する。このようなボタン１０ｂは、図示するように、使用者が指先で押せるように上面が平らな押し部１１ｂとなっており、この押し部１１ｂの下側には、板材型のガイド傾斜板１３および昇降ガイド板１５が垂直に突出して設けられている。
【００５７】
ここで、前記ガイド傾斜板１３は、前記本体３の昇降動作時に、後で述べる弾性嵌合片３０ｔを連動させて水平方向に移動させる要素である。このようなガイド傾斜板１３は、図示するように、垂直な一面が下向きに進みながら減少する幅を有するように傾斜面を有する。また、前記昇降ガイド板１５においては、その端部に前記本体３から離脱するのを防ぐためにロック突起１５ａが形成されている。
【００５８】
また、前記ボタン１０ｂは、垂直弾性体ｓ１´により弾力的に上昇支持力を受ける構成を有し、このために、前記シート溝３ａは、底面の中央からホールドピン３ａｓを突出させ、このホールドピン３ａｓの外周部にコイルスプリング形態の垂直弾性体ｓ１´を備えている。一方、本発明では、垂直弾性体ｓ１´の好適な例としてコイルスプリングを挙げているが、これ以外の形態のスプリングも使用できる。
【００５９】
また、前記ガイド傾斜板１３は、１対を備えることが好ましく、このガイド傾斜板１３の両側に各々の昇降ガイド板１５が設けられてある。
【００６０】
未説明符号３ａは、互いに隣接配置された１つのガイド傾斜板１３と、１つの昇降ガイド板１５が挿入通過するように、前記シート溝３ａの底面の上に形成されるスロットを示す。
【００６１】
前記弾性嵌合片３０ｔは、前述のボタン１０ｂの昇降動作に連動して水平移動することにより前記本体３の嵌合溝３´に嵌合された結合体５に対する結合固定力を生成する要素であって、一端が前記ガイド傾斜板１３の傾斜面に接触することによって前記ボタン１０ｂの昇降動作に連動して水平移動する。このような弾性嵌合片３０ｔは、前記本体３の嵌合溝３´上に形成された水平取付孔３ｈに一端が挿入設置されるもので、前記嵌合溝３´に進入する結合体５により水平取付孔３ｈの内側方向に移動し、前記結合体５の組み付けが完了すると位置復帰し、前記結合体５の上部面に位置してロック力を生成する。
【００６２】
即ち、前記弾性嵌合片３０ｔは、前記嵌合溝側に露出して形成される嵌合部３１と、前記水平取付孔３ｈを通過してガイド傾斜板１３の傾斜面に接触する連動支持軸３３で構成される。
【００６３】
前記嵌合部３１は、その形状が三角片状で提供されて、前記結合体５の進入時に容易に後退して移動することができる。
【００６４】
前記連動支持軸３３は、前記嵌合部３１の後端側から一体に延長される所定の（predetermine）長さの部材であって、その端部に垂直に曲がっているロック突起３３ａが一体に形成されており、このロック突起３３ａ部分が前記ガイド傾斜板１３の傾斜面に接触することにより、前記ボタン１０ｂの昇降動作時に連動するようになる。このような連動支持軸３３は、１〜４個で構成されることができ、図示するように、１対で構成することが好ましい。
【００６５】
また、前記弾性嵌合片３０ｔは、図示されていないが、１対の連動支持軸３３の間にスプリングを設けることで、前記本体３から弾力的な位置変位が付与されるように構成することもできる。
【００６６】
図３８は、本発明の他の実施形態による吸着ユニットの結合装置を示す斜視図である。図３９は、本発明の他の実施形態による吸着ユニットの結合装置の構成を説明するための断面図である。
【００６７】
図示するように、本発明の吸着ユニットの結合装置１は、吸着ユニット７を備える本体３と、この本体３に選択的に結合構成される食器類などの品物ｔに一体に形成されるか、又は付着されてなる結合体５で構成され、前記本体３には、垂直方向に前記結合体５がスライドして嵌合するように嵌合溝３´が設けられ、ここで前記嵌合溝３´は、前記結合体５と嵌合されるように対応する形状を有する。このような構成の吸着ユニットの結合装置１は、品物ｔに付着具備される結合体５と本体３で構成され、前記本体３は、上部に弾力的に昇降可能に設けられるボタン１０ｂと、前記ボタン１０ｂの昇降動作に連動して水平移動する弾性嵌合片３０ｔを含んで構成される。
【００６８】
このような構成は、前述した実施形態と同様であるが、本実施形態の吸着ユニットの結合装置１は、前記結合体５に位置決定溝５ｈを形成し、前記弾性嵌合片３０ｔの嵌合部３１が前記位置決定溝５ｈに嵌入される。即ち、前記結合体５は、一側に位置決定溝５ｈを形成する構成を有し、これと対応する位置に前記本体３に弾性嵌合片３０ｔが位置するように構成されており、その他の構成は、前述した一実施形態と同様であるので、各構成に対する詳細な説明を省略する。
【００６９】
以下、上記のように構成される本発明の吸着ユニットの結合装置の動作について一実施形態を挙げて説明する。
【００７０】
食板や食器類などを含む様々な品物ｔの一側に備えられる結合体５を前記本体３の嵌合溝３´に嵌入すると、前記結合体５の進入経路上に位置する弾性嵌合片３０ｔの嵌合部３１が結合体５との接触により後退移動するようになる。次いで、前記結合体５を前記本体３の嵌合溝３´に完全に組み付けると、前記弾性嵌合片３０ｔは結合体５との接触力が解除されて位置復帰し、結果的に、前記結合体５の上部に突出して設けられる。よって、前記結合体５は、前記本体３の嵌合溝３´上に嵌合されて設けられた状態で、前記弾性嵌合片３０ｔにより組み付け方向への遊動が防止される。
【００７１】
一方、上記のように、結合体５と本体３が組み付けられた状態で、結合体５を分離させる場合には、前記本体３の上部に提供されるボタン１０ｂを押す。そうすると、前記ボタン１０ｂのガイド傾斜板１３の傾斜面に連動支持軸３３が接触された弾性嵌合片３０ｔが後退移動することにより、前記結合体５の組み付け方向に対する規制力を解除するようになる。従って、前記結合体５は、前記本体３の嵌合溝３´に組み付けられた方向と反対方向に移動させることによって分離される。
【００７２】
図４０〜図４１は、突起の他の例を示す図であり、図示するように、結合体５の他の形態が示されている。
【００７３】
以上のように、本発明について図示された好ましい実施形態を参照して詳細に説明したが、これは例示的なものであり、限定的なものではない。該当技術分野における通常の知識を有する者であれば、本発明に基づいて様々な変形及び均等な他の実施例が可能であることが理解できるであろう。よって、本発明の保護範囲は、添付の請求の範囲だけでなく、それらの変形や改良形態もすべて含むと解されるべきである。
【符号の説明】
【００７４】
１       結合装置
３       本体
３´      嵌合溝
３ａ      シート溝
３ａｓ    ホールドピン
３ｈ      水平取付孔
５        結合体
５ｈ      位置決定溝
７        吸着ユニット
１０      逆ロック機構
１１      突起
１０ｂ    ボタン
１１ｂ    押し部
１２      ストッパ突起
１３      ガイド傾斜板
１５      昇降ガイド板
２０      ロックスタンド
２１      嵌合溝
２２      支持柱
２３      ギャップ
２４      ボタン
２５      ボタンスイッチ
２６      ストッパ溝
３０      吸盤
３０ｔ    弾性嵌合片
３１      嵌合部（fitting  part）
３３      連動支持軸
４０      ハウジング
４１      プリング棒
４３      ヒンジ
４４      連動スイッチ
４７      ロックシート
４８      ストッパ板
４９      固定装置
７０      補助板
ｓ１      垂直弾性体
１０５    食器
１１０    テーブル
１００    吸着ユニット
【図１】
2010512936.tif 000003
【図２】
2010512936.tif 000004
【図３】
2010512936.tif 000005
【図４】
2010512936.tif 000006
【図５】
2010512936.tif 000007
【図６】
2010512936.tif 000008
【図７】
2010512936.tif 000009
【図８】
2010512936.tif 000010
【図９】
2010512936.tif 000011
【図１０】
2010512936.tif 000012
【図１１】
2010512936.tif 000013
【図１２】
2010512936.tif 000014
【図１３】
2010512936.tif 000015
【図１４】
2010512936.tif 000016
【図１５】
2010512936.tif 000017
【図１６】
2010512936.tif 000018
【図１７】
2010512936.tif 000019
【図１８】
2010512936.tif 000020
【図１９】
2010512936.tif 000021
【図２０】
2010512936.tif 000022
【図２１】
2010512936.tif 000023
【図２２】
2010512936.tif 000024
【図２３】
2010512936.tif 000025
【図２４】
2010512936.tif 000026
【図２５】
2010512936.tif 000027
【図２６】
2010512936.tif 000028
【図２７】
2010512936.tif 000029
【図２８】
2010512936.tif 000030
【図２９】
2010512936.tif 000031
【図３０】
2010512936.tif 000032
【図３１】
2010512936.tif 000033
【図３２】
2010512936.tif 000034
【図３３】
2010512936.tif 000035
【図３４】
2010512936.tif 000036
【図３５】
2010512936.tif 000037
【図３６】
2010512936.tif 000038
【図３７】
2010512936.tif 000039
【図３８】
2010512936.tif 000040
【図３９】
2010512936.tif 000041
【図４０】
2010512936.tif 000042
【図４１】
2010512936.tif 000043
【国際調査報告】
2010512936.tif 000044
2010512936.tif 000045